(57)【要約】【課題】コストアップを招くことなく装置底部を閉塞でき、配線作業を容易にできる地上設置型低圧分岐装置を提供する。【解決手段】地中を通したケーブルを底部開口部１ａから内部に導入して配電する地上設置型低圧分岐装置１において、底部開口部１ａに、該開口部１ａを閉塞するように弾性変形可能な複数枚の床部材１１，１２を隣接する床部材の対向する側面同士を当接させて設け、ケーブルを隣接する床部材間から、その導入部分の対向する側面部分を弾性変形させて導入するように構成する。【選択図】図２
0003103024.tif 000002
【実用新案登録請求の範囲】
【請求項１】
地中を通したケーブルを底部開口部から内部に導入して配電する地上設置型低圧分岐装置において、
上記底部開口部に、該開口部を閉塞するように弾性変形可能な複数枚の床部材を隣接する床部材の対向する側面同士を当接させて設け、上記ケーブルを上記隣接する床部材間から、その導入部分の対向する側面部分を弾性変形させて導入するように構成したことを特徴とする地上設置型低圧分岐装置。
【請求項２】
上記底部開口部に、導入する上記ケーブルを区分けするための複数のセパレータを並列して設け、各セパレータに上記床部材を保持したことを特徴とする請求項１に記載の地上設置型低圧分岐装置。
【請求項３】
上記床部材は発泡体からなることを特徴とする請求項１または２に記載の地上設置型低圧分岐装置。
【考案の詳細な説明】
【技術分野】
【０００１】
本考案は、地上設置型低圧分岐装置、特にその床構造の改良に関するものである。
【背景技術】
【０００２】
近年、都市部においては、安全で快適な通行空間の確保、都市災害の防止、都市景観の向上等の観点から、配電線路の地中化が進められている。
【０００３】
この配電線路の地中化においては、例えば図８に示すように、歩道等の地上に多回路開閉器、高圧キャビネット、変圧器、低圧分岐装置等の地上設置型配電装置を設置し、地中を通したケーブルを所要の地上設置型配電装置の底部から内部に導入して配電するようにしている（例えば、非特許文献１参照）。
【０００４】
このような地上設置型配電装置においては、結露や塵埃汚損による事故を防止するため、装置底部をケーブルが出入りする部分を除いて塞ぐようにしている。
【非特許文献１】関根泰次監修、「配電技術総合マニュアル」、第１版、株式会社オーム社、１９９１年１１月３０日、ｐ．６８−７１
【考案の開示】
【考案が解決しようとする課題】
【０００５】
しかしながら、従来の地上設置型低圧分岐装置においては、多回路開閉器、高圧キャビネット、変圧器等の防爆構造を有する高圧の地上設置型配電装置と同様に、鉄板等の剛性を有する床部材により装置底部を塞ぐようにし、この床部材にケーブル導入用の開口部を予め形成するようにしている。
【０００６】
このため、床部材の材料費および加工費が嵩み、装置のコストアップを招くことが懸念される。また、床部材のケーブル導入用の開口部は、回路数に応じて予め形成しておく必要があるため、未使用の回路がある場合には、その回路に接続されるケーブル導入用の開口部をケーブルカバーやパテで閉塞する必要があり、また、その未使用の回路に新たにケーブルを接続する場合には、ケーブルカバーやパテを除去してケーブルを導入する必要があるため、配線作業が面倒になると言う問題がある。
【０００７】
したがって、かかる事情に鑑みてなされた本考案の目的は、コストアップを招くことなく装置底部を閉塞でき、しかも配線作業を容易にできる地上設置型低圧分岐装置を提供することにある。
【課題を解決するための手段】
【０００８】
上記目的を達成する請求項１に係る考案は、地中を通したケーブルを底部開口部から内部に導入して配電する地上設置型低圧分岐装置において、
上記底部開口部に、該開口部を閉塞するように弾性変形可能な複数枚の床部材を隣接する床部材の対向する側面同士を当接させて設け、上記ケーブルを上記隣接する床部材間から、その導入部分の対向する側面部分を弾性変形させて導入するように構成したことを特徴とするものである。
【０００９】
請求項２に係る考案は、請求項１に記載の地上設置型低圧分岐装置において、上記底部開口部に、導入する上記ケーブルを区分けするための複数のセパレータを並列して設け、各セパレータに上記床部材を保持したことを特徴とするものである。
【００１０】
請求項３に係る考案は、請求項１または２に記載の地上設置型低圧分岐装置において、上記床部材は発泡体からなることを特徴とするものである。
【考案の効果】
【００１１】
請求項１の考案によると、ケーブルを導入するための底部開口部を弾性変形可能な床部材で閉塞するので、安価な床部材を用いることができ、装置のコストダウンを図ることができる。また、地中を通したケーブルは、隣接する床部材間から、その導入部分の対向する側面部分を弾性変形させて導入するので、ケーブルの導入作業を容易にでき、しかも、隣接する床部材間のケーブルを導入しない対向する側面同士は当接したままとなるので、未使用回路に対応するケーブル導入口の閉塞作業が不要となり、配線作業を容易にできると共に、地中からの上昇水分および塵埃の進入を有効に防止でき、結露や塵埃汚損の発生を有効に防止することができる。
【００１２】
請求項２の考案によると、底部開口部にケーブル区分け用の複数のセパレータを並列して設け、その各セパレータに床部材を保持したので、配電ミスを防止しながら配線作業をより容易にできると共に、床部材を底部開口部に確実に保持することができる。
【００１３】
請求項３の考案によると、床部材が発泡体からなるので、装置の軽量化を図ることができると共に、地中からの上昇水分を、発泡体を構成する発泡剤の気泡内に吸収して装置本体内部に浸入するのを有効に防止できるので、結露の発生をより確実防止することができる。
【考案を実施するための最良の形態】
【００１４】
以下、本考案による地上設置型低圧分岐装置の一実施の形態を、図１乃至図６を参照して説明する。
【００１５】
図１（ａ）および（ｂ）は地上設置型低圧分岐装置の正面図および右側面図、図２は底部の構成を示す図１（ａ）のＡ−Ａ線拡大断面図、図３は図２のＢ−Ｂ線拡大断面図、図４は同じくＣ−Ｃ線拡大断面図、図５（ａ）および（ｂ）は図２に示す第１床部材の平面図および正面図、図６（ａ）および（ｂ）は同じく第２床部材の平面図および正面図、図７はケーブル導入状態を示す斜視図である。
【００１６】
図１（ａ）および（ｂ）に示すように、この地上設置型低圧分岐装置１は、装置本体２と、その下部に取り付けられて地上の基礎部に基礎ボルトを介して固定されるベース本体３とを有している。装置本体２は底部が開放しており、前面側には観音開きの扉４（図１（ａ）では右側の扉を省略している）が設けられ、内部には、三相４線式の複数回路分のＵ相、Ｖ相、Ｗ相、Ｎ相の各ケーブルをそれぞれ接続するための接続端子群、各相の接続端子群を連結する分岐導体等を有する分岐設備５が設けられている。本実施の形態では、幹線・連絡線用の４回路と、引き込み線用の６回路との合計１０回路分の分岐設備５を有していると共に、引き込み線用のＵ，Ｖ，Ｗの各相の接続端子と、各相に対応する分岐導体との間には低圧限流ヒューズが装填可能となっている。
【００１７】
また、装置本体２には、図２に示すように、その底部に底部開口部１ａを画成する平坦部３ａ〜３ｄを内側に突出して形成し、その前面側の平坦部３ａと後面側の平坦部３ｂとのそれぞれ３箇所において連結ボルト６ａ〜６ｃおよび６ｄ〜６ｆを介してベース本体３に固定するようにする。
【００１８】
本実施の形態では、前面側の平坦部３ａと後面側の平坦部３ｂとの間に、地中から導入するケーブルを区分けするための複数のセパレータ、本実施の形態では９本のセパレータ７を幅方向に並列して配置する。
【００１９】
各セパレータ７は、外形が円形の棒状に形成すると共に、底部開口部１ａに対応する部分にはＰＶＣ等の絶縁材をコーティングする。これら９本のセパレータ７のうち、中央に位置するセパレータ７は、その両端部を平坦に加工して、平坦部３ａ，３ｂに連結ボルト６ｂ，６ｅにより固定するようにする。その他のセパレータ７は、一端部を平坦に加工し、他端部は外形円形状のままとして、その他端部を図３に示すようにベース本体３の後面側に設けた保持板８に形成された保持穴８ａに挿入保持し、平坦に加工した一端部を、図４に示すように前面側の平坦部３ａにボルト９により固定する。
【００２０】
本実施の形態では、両側の２本のセパレータ７にそれぞれ第１床部材１１を保持し、他の７本のセパレータ７にはそれぞれ第２床部材１２を保持して底部開口部１ａを閉塞する。ここで、第１床部材１１および第２床部材１２は幅方向寸法が異なるもので、第１床部材１１は、図５（ａ）および（ｂ）に平面図および正面図を示すように、幅方向中央から外れた位置にセパレータ７が貫通する穴１１ａを形成して構成し、第２床部材１２は、図６（ａ）および（ｂ）に平面図および正面図を示すように、幅方向中央にセパレータ７が貫通する穴１２ａを形成して構成する。
【００２１】
これら第１床部材１１および第２床部材１２は、それぞれ弾性変形可能な例えば発泡体（スポンジ）で形成し、各穴１１ａおよび１２ａにそれぞれセパレータ７を貫通させて、各セパレータ７を、隣接する床部材の対向する側面同士を当接させて装置本体２に取り付けることにより、底部開口部１ａを閉塞する。なお、第１床部材１１および第２床部材１２を構成する発泡体としては、例えば、カームフレックスＦ−４（商品名  イノアックコーポレーション製）を用い、その表裏面はメルトーム加工する。
【００２２】
このようにして、本実施の形態では、ベース本体３を地上の基礎部に基礎ボルトを介して取り付けて、地中を通したケーブルを隣接する床部材間から装置本体２の内部に導入して配電する。
【００２３】
このように構成すれば、例えば図７に示すように、地中から装置本体２の内部に導入するＵ相、Ｖ相、Ｗ相、Ｎ相のケーブル１５Ｕ，１５Ｖ，１５Ｗ，１５Ｎは、それらの導入部分の対向する床部材１２の側面部分を弾性変形させて導入することができるので、各ケーブルを容易に導入することができる。また、ケーブルを導入しない隣接する床部材間の対向する側面同士は当接したままとなるので、ケーブルカバーやパテによる閉塞作業が不要となる。したがって、配線作業を容易にできると共に、地中からの上昇水分および塵埃の進入を有効に防止でき、結露や塵埃汚損の発生を有効に防止することができる。
【００２４】
しかも、床部材１１，１２を、それぞれケーブル区分け用のセパレータ７に保持したので、配電ミスを防止しながら配線作業をより容易にできると共に、床部材１１，１２を底部開口部１ａに確実に保持することができる。また、床部材１１，１２は、弾性変形可能な例えば発泡体（スポンジ）を用いるので、安価にでき、装置のコストダウンおよび軽量化を図ることができると共に、地中からの上昇水分を、床部材１１，１２を構成する発泡剤の気泡内に吸収して装置本体２の内部に浸入するのを有効に防止でき、これにより結露の発生をより確実防止することができる。
【００２５】
なお、本考案は、上述した実施の形態にのみ限定されるものではなく、幾多の変形または変更が可能である。例えば、床部材は、弾性変形可能であれば任意のものを用いることができると共に、これをセパレータを用いることなく保持することもできる。さらに、複数の床部材を同一寸法にして、底部開口部を閉塞するように構成することもできる。
【図面の簡単な説明】
【００２６】
【図１】本考案の一実施の形態に係る地上設置型低圧分岐装置の正面図および右側面図である。
【図２】図１（ａ）のＡ−Ａ線拡大断面図である。
【図３】図２のＢ−Ｂ線拡大断面図である。
【図４】図２のＣ−Ｃ線拡大断面図である。
【図５】図２に示す第１床部材の平面図および正面図である。
【図６】図２に示す第２床部材の平面図および正面図である。
【図７】図１に示す地上設置型低圧分岐装置におけるケーブル導入状態を示す斜視図である。
【図８】配電線路の地中化を説明するための図である。
【符号の説明】
【００２７】
１  地上設置型低圧分岐装置
１ａ  底部開口部
２  装置本体
３  ベース本体
３ａ〜３ｄ  平坦部
４  扉
５  分岐設備
６ａ〜６ｆ  連結ボルト
７  セパレータ
８  保持板
８ａ  保持穴
９  ボルト
１１  第１床部材
１２  第２床部材
１１ａ，１２ａ  穴
１５Ｕ，１５Ｖ，１５Ｗ，１５Ｎ  ケーブル
【図１】
0003103024.tif 000003
【図２】
0003103024.tif 000004
【図３】
0003103024.tif 000005
【図４】
0003103024.tif 000006
【図５】
0003103024.tif 000007
【図６】
0003103024.tif 000008
【図７】
0003103024.tif 000009
【図８】
0003103024.tif 000010